(57)【要約】【課題】簡便に目的の機器を取り外すことができる機器の配管接続構造を提供する。【解決手段】隣接するセンサユニット１０〜５０どうしを配管６０で接続する機器の接続構造であって、センサユニット１０〜５０は、配管６０と接続する係止穴部を、上流側および下流側にそれぞれ形成し、上流側の係止穴部１１ａ〜５１ａおよび下流側の係止穴部１１ｂ〜５１ｂの何れか一方を他方より深く形成し、配管６０が係止穴部の内部で移動可能な状態で接続してある。【選択図】図５
2015021592.tif 000002
【特許請求の範囲】
【請求項１】
隣接する機器どうしを配管で接続する機器の配管接続構造であって、
前記機器は、前記配管と接続する係止穴部を、上流側および下流側にそれぞれ形成し、
前記上流側の係止穴部および前記下流側の係止穴部の何れか一方を他方より深く形成し、前記配管が前記係止穴部の内部で移動可能な状態で接続してある機器の配管接続構造。
【請求項２】
前記上流側の係止穴部より前記下流側の係止穴部の方を深く形成してある請求項１に記載の機器の配管接続構造。
【発明の詳細な説明】
【技術分野】
【０００１】
本発明は、隣接する機器どうしを配管で接続する機器の配管接続構造に関する。
【背景技術】
【０００２】
従来、複数種類のセンサを備えたセンサアレイシステムが知られており、当該センサアレイシステムはセンサとして、複数種のガスを識別検知するため複数種類のガスセンサを備える、或いは、環境に応じてその場の外部環境の変化を検知するため、酸素センサ、ＣＯセンサ、都市ガスセンサ、ＬＰガスセンサなどを備えていた。
【０００３】
センサアレイシステムは、その内部に各センサを備えたセンサユニット（機器の一例）を並置しており、各センサユニットは、例えば配管で接続して、上流側のセンサユニットから順に下流側のセンサユニットへ環境中の雰囲気ガスを流下させて、それぞれのセンサユニットに設けたセンサによって外部環境の変化を検知していた。
【０００４】
尚、本発明における従来技術となる上述したセンサアレイシステムは、一般的な技術であるため、特許文献等の従来技術文献は示さない。
【発明の概要】
【発明が解決しようとする課題】
【０００５】
センサユニットに接続する配管は、その一端をセンサユニットに形成した係止穴部の奥まで係入させ、その他端を隣接するセンサユニットに形成した係止穴部の奥まで係入させて、それぞれのセンサユニットに接続していた。
【０００６】
ここで、センサアレイシステムが例えば５つのセンサユニットを備えている場合において、中央のセンサユニットを交換する際には、当該中央のセンサユニットに接続したチューブとの接続を解除してから中央のセンサユニットを取り外す必要がある。この場合、中央のセンサユニットに隣接するセンサユニットを取り外さないと、中央のセンサユニットに接続したチューブの接続を解除できない。従って、目的のセンサユニットを取り外す際には、隣接する、或いは、全てのセンサユニットを取り外す必要があり、煩雑であった。
【０００７】
従って、本発明の目的は、簡便に目的の機器を取り外すことができる機器の配管接続構造を提供することにある。
【課題を解決するための手段】
【０００８】
上記目的を達成するための本発明に係る機器の配管接続構造は、隣接する機器どうしを配管で接続する機器の接続構造であって、その第一特徴構成は、前記機器は、前記配管と接続する係止穴部を、上流側および下流側にそれぞれ形成し、前記上流側の係止穴部および前記下流側の係止穴部の何れか一方を他方より深く形成し、前記配管が前記係止穴部の内部で移動可能な状態で接続した点にある。
【０００９】
本構成によれば、例えば所定の機器および隣接する機器を接続する配管において、当該配管の一端は所定の機器の上流側の係止穴部に接続し、配管の他端は隣接する機器の下流側の係止穴部に接続する。このとき、配管は、前記上流側の係止穴部および前記下流側の係止穴部の内部で移動可能な状態で余裕を持たせて接続してある。
【００１０】
このとき、配管を、浅く形成してある係止穴部の奥まで係入したときに、深く形成してある係止穴部から外れないように構成する。
【００１１】
例えば所定の機器を交換する際には、所定の機器に接続した配管の接続を解除してから所定の機器を取り外す必要がある。この場合、配管は、前記上流側の係止穴部および前記下流側の係止穴部の内部で移動可能な状態で接続してあるため、深く形成してある係止穴部の方に向かってスライド移動することができる。このとき、深く形成してある係止穴部の内部での配管のスライド移動量を、浅く形成してある係止穴部の内部での配管のスライド移動量より大きくすることができる。よって、深く形成してある係止穴部の内部での配管のスライド移動量が、浅く形成してある係止穴部の内部での配管のスライド移動量より大きくなれば、配管は浅く形成してある係止穴部との接続を解除することができる。
【００１２】
このように、所定の機器を交換する際に、所定の機器に接続した配管との接続を、当該配管をスライド移動させるだけで容易に解除することができるため、所定の機器を簡便に取り外すことができる。このとき、所定の機器に隣接する、或いは、全ての機器を取り外す必要はない。
【００１３】
本発明に係る機器の配管接続構造の第二特徴構成は、前記上流側の係止穴部より前記下流側の係止穴部の方を深く形成した点にある。
【００１４】
本構成によれば、配管を例えば流体が流下する場合、当該流体が流下する方向は、上流側の係止穴部から下流側の係止穴部の方向である。流体が流下する際には、当該流体の流勢で、例えば配管が流体の流下方向に移動する虞がある。このとき、例えば配管は下流側に隣接する機器の上流側の係止穴部の奥までスライド移動して停止する。本構成のように、上流側の係止穴部より下流側の係止穴部の方を深く形成しておけば、上流側の係止穴部を浅く形成することとなる（上流側の係止穴部は浅係止穴部、下流側の係止穴部は深係止穴部となる）。
【００１５】
上述したように、配管は、浅く形成してある（下流側に隣接する機器の）上流側の係止穴部の奥まで係入しても、深く形成してある下流側の係止穴部から外れないように構成してある。そのため、仮に流体の流勢で配管が流体の流下方向に移動したとしても、配管は下流側に隣接する機器の浅く形成してある上流側の係止穴部の奥までスライド移動して停止するだけであり、配管が下流側の係止穴部から外れることはない。
【００１６】
従って、本構成であれば、所定の機器を交換するとき以外のときに、配管が浅く形成してある上流側の係止穴部から外れるのを防止できる。
【図面の簡単な説明】
【００１７】
【図１】センサアレイシステムの外観を示す斜視図である。
【図２】センサアレイシステムの概要を示すブロック図である。
【図３】センサユニットの斜視図である。
【図４】センサバッファの分解図である。
【図５】本発明の機器の接続構造の概要を示す図である。
【図６】本発明の機器の接続構造（接続解除時）の概要を示す図である。
【発明を実施するための形態】
【００１８】
以下、本発明の実施形態を図面に基づいて説明する。
本発明は、隣接する機器どうしを配管で接続する機器の配管接続構造であり、本実施形態では、外部環境の変化を検知するセンサを有するセンサユニット（機器の一例）を複数備えたセンサアレイシステムの配管接続構造について説明する。センサアレイシステムＸは、可搬性の態様、或いは、屋内や屋外で壁面に設置する態様などであればどのような機器であってもよい。本実施形態では、可搬性の態様とした場合について説明する。
【００１９】
本実施形態では、図１〜６に示したように、センサアレイシステムＸは、５つのセンサユニット１０〜５０を備えた場合について説明する。
【００２０】
隣接するセンサユニットどうしは環境中の雰囲気ガスが流下する配管６０で接続され、上流側のセンサユニット１０から順に下流側のセンサユニット５０へ環境中の雰囲気ガスを流下させるガス流通路７０が形成される。
【００２１】
例えばセンサユニット１０において、センサブロック１１に、配管６０と接続する係止穴部を、吸気口１より吸入された雰囲気ガスが流入する上流側および雰囲気ガスが流出する下流側にそれぞれ形成してある。即ち、センサブロック１１には、雰囲気ガスが流入する上流側係止穴部１１ａおよび雰囲気ガスが流出する下流側係止穴部１１ｂを形成する。当該上流側係止穴部１１ａおよび下流側係止穴部１１ｂにおいて、それぞれが第一配管６１および第二配管６２と接続する（図５）。
尚、配管６０は、Ｏリング１６によって係止穴部に係止される。
【００２２】
また、センサユニット１０は、センサブロック１１に支持され、外部環境の変化を検知するセンサ１２、雰囲気ガスの流量を測定するフローセンサ１３、雰囲気ガスをバッファリングするセンサバッファ１４、雰囲気ガスを吸引するポンプ１５を備える。センサブロック１１に流入した雰囲気ガスは、ガス流通路７０より分岐した分岐路７１を通過してセンサ１２に流入し、フローセンサ１３、センサバッファ１４をそれぞれ流下する。
【００２３】
他のセンサユニットについても同様の構成、即ち、センサユニット２０はセンサブロック２１、センサ２２、フローセンサ２３、センサバッファ２４、ポンプ２５を備え、センサブロック２１に上流側係止穴部２１ａおよび下流側係止穴部２１ｂを形成する。当該上流側係止穴部２１ａに第二配管６２が接続し、下流側係止穴部２１ｂに第三配管６３が接続する。
【００２４】
また、センサユニット３０はセンサブロック３１、センサ３２、フローセンサ３３、センサバッファ３４、ポンプ３５を備え、センサブロック３１に上流側係止穴部３１ａおよび下流側係止穴部３１ｂを形成する。当該上流側係止穴部３１ａに第三配管６３が接続し、下流側係止穴部３１ｂに第四配管６４が接続する。
【００２５】
また、センサユニット４０はセンサブロック４１、センサ４２、フローセンサ４３、センサバッファ４４、ポンプ４５を備え、センサブロック４１に上流側係止穴部４１ａおよび下流側係止穴部４１ｂを形成する。当該上流側係止穴部４１ａに第四配管６４が接続し、下流側係止穴部４１ｂに第五配管６５が接続する。
【００２６】
さらに、センサユニット５０はセンサブロック５１、センサ５２、フローセンサ５３、センサバッファ５４、ポンプ５５を備え、センサブロック５１に上流側係止穴部５１ａおよび下流側係止穴部５１ｂを形成する。当該上流側係止穴部５１ａに第五配管６５が接続する。センサユニット５０は、最下流側のユニットなので、下流側係止穴部５１ｂは、それより下流に雰囲気ガスが流入しない構成であればよい。従って、下流側係止穴部５１ｂは封止されていてもよく、下流側係止穴部を設けない構成でもよい。
【００２７】
センサブロック２１〜５１に流入した雰囲気ガスは、ガス流通路７０より分岐した分岐路７２〜７５をそれぞれ通過してセンサ２２〜５２に流入し、フローセンサ２３〜５３、センサバッファ２４〜５４をそれぞれ流下する。
尚、フローセンサ２３〜５３から外部に流量などの情報を含んだ信号を出力することが可能であり、このとき当該信号を受信して流量などの情報を表示できる外部機器と接続してモニタリングすることで、汚れ等による配管の詰まりやポンプユニットの故障などを早期に検知することができる。
【００２８】
ポンプ１５〜５５から排出された雰囲気ガスは、アウトバッファ８０を経由して排気口２よりセンサアレイシステムＸの外部に排出される。
【００２９】
各センサユニット１０〜５０は、その内部に外部環境の変化を検知するセンサ１２〜５２をそれぞれ備える。このようなセンサとして、酸素センサ、ＣＯセンサ、都市ガスセンサ、ＬＰガスセンサなどのガスセンサなどを使用することができるが、これに限られるものではない。
【００３０】
ガスセンサは、被検知ガスを検知するものであれば、どのような態様であってもよい。例えば、酸素センサは酸素ガスを検出でき、ＣＯセンサは不完全燃焼で発生する一酸化炭素ガスを検出でき、都市ガスセンサは炭化水素ガス等の漏洩ガスを検出することができるものであれば、公知の半導体式センサ素子、接触燃焼式センサ素子および電気化学式センサなどが使用できる。
【００３１】
センサアレイシステムＸは、例えばセンサ１２が警報レベル以上の被検知ガスを継続して検知したことを後述の演算手段（図外）が判定した場合、当該演算手段から警報信号を受け取り、音声により警報を発する放音部（図外）と接続される。当該放音部は、センサアレイシステムＸに組み込んでもよい。
【００３２】
演算手段は、上述したセンサ１２が被検知ガスを検知した出力に基づき、被検知ガス濃度を算出する濃度算出部（図外）を備える。さらに演算手段は、センサ１２が警報レベル以上の被検知ガス濃度を継続して検知した場合、警報信号を放音部に送信して当該放音部により警報を発するように制御する。
尚、本発明のセンサアレイシステムＸには、演算手段の結果を表示する表示部（図外）を筐体に設け、被検知ガス濃度などを表示できるように構成してもよい。
【００３３】
本発明のセンサアレイシステムＸの配管接続構造は、例えばセンサユニット１０のセンサブロック１１において、上流側係止穴部１１ａおよび下流側係止穴部１１ｂの何れか一方を他方より深く形成してある（図５）。この場合、他のセンサユニット２０〜５０のセンサブロック２１〜５１においても、上流側係止穴部２１ａ〜５１ａおよび下流側係止穴部２１ｂ〜５１ｂの何れか一方を他方より深く形成する。本実施形態では、ガス流通路７０の下流側の係止穴部を深く形成する態様とする場合について説明する。即ち、センサブロック１１〜５１において、上流側係止穴部１１ａ〜５１ａより下流側係止穴部１１ｂ〜５１ｂの方を深く形成してある。
【００３４】
例えばセンサユニット１０およびセンサユニット２０を接続する第二配管６２において、当該第二配管６２の一端はセンサブロック１１の下流側係止穴部１１ｂに接続し、第二配管６２の他端はセンサブロック２１の上流側係止穴部２１ａに接続する。このとき、第二配管６２は、上流側係止穴部２１ａおよび下流側係止穴部１１ｂの内部で移動可能な状態で余裕を持たせて接続してある。
【００３５】
第二配管６２は、上流側係止穴部２１ａおよび下流側係止穴部１１ｂの内部で移動可能な状態で余裕を持たせて接続されればどのような態様でもよい。例えば第二配管６２は、上流側係止穴部２１ａおよび下流側係止穴部１１ｂの何れか一方の奥まで係入しない態様、或いは、上流側係止穴部２１ａおよび下流側係止穴部１１ｂの両方の奥まで係入しない態様とすることができる。このとき、第二配管６２を、浅く形成してある上流側係止穴部２１ａの奥まで係入したときに、深く形成してある下流側係止穴部１１ｂから外れないように構成する。
【００３６】
例えばセンサユニット２０を交換する際には、センサユニット２０に接続した第二配管６２および第三配管６３との接続を解除してからセンサユニット２０を取り外す必要がある。この場合、第二配管６２は、上流側係止穴部２１ａおよび下流側係止穴部１１ｂの内部で移動可能な状態で接続してあるため、深く形成してあるセンサブロック１１の下流側係止穴部１１ｂの方に向かってスライド移動することができる。このとき、深く形成してある下流側係止穴部１１ｂの内部での第二配管６２のスライド移動量を、浅く形成してある上流側係止穴部２１ａの内部での第二配管６２のスライド移動量より大きくすることができる。よって、深く形成してある下流側係止穴部１１ｂの内部での第二配管６２のスライド移動量が、浅く形成してある上流側係止穴部２１ａの内部での第二配管６２のスライド移動量より大きくなれば、第二配管６２は浅く形成してある上流側係止穴部２１ａとの接続を解除することができる（図６）。
【００３７】
一方、センサユニット２０に接続した第三配管６３についても、上流側係止穴部３１ａおよび下流側係止穴部２１ｂの内部で移動可能な状態で余裕を持たせて接続してある。従って、第三配管６３を深く形成してあるセンサブロック２１の下流側係止穴部２１ｂの方に向かってスライド移動することができ、第三配管６３は浅く形成してあるセンサブロック３１の上流側係止穴部３１ａとの接続を解除することができる。
【００３８】
このように、センサユニット２０を交換する際に、センサユニット２０に接続した第二配管６２および第三配管６３との接続を、第二配管６２および第三配管６３をスライド移動させるだけで容易に解除することができるため、センサユニット２０を簡便に取り外すことができる。このとき、センサユニット２０に隣接する、或いは、全てのセンサユニットを取り外す必要はない。また、第二配管６２と第三配管６３との接続を解除できれば、センサブロック２１のみやフローセンサ２３のみの交換も可能となり、交換の必要がある部材のみを、適宜、容易に交換できる。
【００３９】
上述したように、本実施形態では、上流側係止穴部１１ａ〜５１ａより下流側係止穴部１１ｂ〜５１ｂの方を深く形成してある。
【００４０】
雰囲気ガスがガス流通路７０を流下する方向は、上流側係止穴部１１ａから下流側係止穴部１１ｂの方向である。雰囲気ガスがガス流通路７０を流下する際に、雰囲気ガスの流勢で、例えば配管６０が雰囲気ガスの流下方向に移動する虞がある。このとき、例えば第二配管６２は下流側に隣接するセンサブロック２１の上流側係止穴部２１ａの奥までスライド移動して停止する。本構成のように、上流側係止穴部２１ａより下流側係止穴部１１ｂの方を深く形成しておけば、上流側係止穴部２１ａを浅く形成することとなる。
【００４１】
上述したように、第二配管６２は、浅く形成してある（下流側に隣接するセンサブロック２１の）上流側係止穴部２１ａの奥まで係入しても、深く形成してある下流側係止穴部１１ｂから外れないように構成してある。そのため、仮に雰囲気ガスの流勢で第二配管６２が雰囲気ガスの流下方向に移動したとしても、第二配管６２は下流側に隣接するセンサブロック２１の浅く形成してある上流側係止穴部２１ａの奥までスライド移動して停止するだけであり、第二配管６２が下流側係止穴部１１ｂから外れることはない。
【００４２】
そのため、本構成であれば、センサユニット１０〜５０を交換するとき以外のときに、配管６０が浅く形成してある上流側係止穴部１１ａ〜５１ａから外れることはない。
【００４３】
尚、浅く形成してある上流側係止穴部１１ａ〜５１ａにネジ溝を形成し、かつ配管６０が上流側係止穴部１１ａ〜５１ａに螺入するように構成してもよい。このとき、配管６０は、上流側係止穴部１１ａ〜５１ａに対してスライド移動できないため、上流側係止穴部１１ａ〜５１ａに対してズレ位置し難くなり、上流側係止穴部１１ａ〜５１ａから外れるのを未然に防止できる。
また、流側係止穴部１１ａ〜５１ａおよび配管６０を接続する接続部材を設けることで、配管６０が上流側係止穴部１１ａ〜５１ａから外れるのを未然に防止できる。
【産業上の利用可能性】
【００４４】
本発明は、隣接する機器どうしを配管で接続する機器の接続構造に利用できる。
【符号の説明】
【００４５】
１０〜５０        センサユニット
１１ａ〜５１ａ    上流側の係止穴部
１１ｂ〜５１ｂ    下流側の係止穴部
６０              配管
【図１】
2015021592.tif 000003
【図２】
2015021592.tif 000004
【図３】
2015021592.tif 000005
【図４】
2015021592.tif 000006
【図５】
2015021592.tif 000007
【図６】
2015021592.tif 000008